(57)【要約】      （修正有）【課題】消費電力を低減し、ファンの騒音も低減した録画機器を提供する。【解決手段】メディアがドライブに対応していないものであったり、ＢＤ−ＲＯＭ、ＤＶＤ−ＲＯＭ、ＣＤなどの再生専用のメディアであったり、録画可能なメディアであってもライトプロテクトされていたり、録画するための空き容量がない場合、録画可能なものではないと判定される。ドライブに装着されているメディアが録画可能なものである場合には、ステップＳ１０３において、主制御部は、リムーバブルメディア制御部における録画用の回路への電力供給を維持し、いつでも録画ができる状態を維持する。ドライブに装着されているメディアが録画可能なものではない場合は、録画をすぐに開始できない条件を満たしているため、ステップＳ１０４において、主制御部は、リムーバブルメディア制御部における録画用の回路への電力供給を停止し、スリープ状態に遷移し、動作を終了する。【選択図】図４
2010118116.tif 000002
【特許請求の範囲】
【請求項１】
リムーバブルメディアを装着し、該リムーバブルメディアに情報を記録するリムーバブルメディアドライブと、
前記リムーバブルメディアドライブにおける情報の記録を制御する録画用回路と、
上記各部を制御する制御部と、を備え、
前記制御部は、前記リムーバブルメディアドライブにリムーバブルメディアが装着されているかどうかを判定し、装着されていない場合、前記録画用回路への電力供給を停止することを特徴とするリムーバブルメディア録画機器。
【請求項２】
リムーバブルメディアを装着し、該リムーバブルメディアに情報を記録するリムーバブルメディアドライブと、
前記リムーバブルメディアドライブにおける情報の記録を制御する録画用回路と、
各部を制御する制御部と、を備え、
前記制御部は、前記リムーバブルメディアドライブに装着されているリムーバブルメディアが情報の記録に対応しているかどうかを判定し、情報の記録に対応していない場合、前記録画用回路への電力供給を停止することを特徴とするリムーバブルメディア録画機器。
【請求項３】
リムーバブルメディアを装着し、該リムーバブルメディアに情報を記録するリムーバブルメディアドライブと、
前記リムーバブルメディアドライブにおける情報の記録を制御する録画用回路と、
各部を制御する制御部と、を備え、
前記制御部は、前記リムーバブルメディアドライブに装着されているリムーバブルメディアへの情報の記録が禁止されているかどうかを判定し、情報の記録が禁止されている場合、前記録画用回路への電力供給を停止することを特徴とするリムーバブルメディア録画機器。
【請求項４】
前記リムーバブルメディアドライブにリムーバブルメディアが装着されている場合、前記制御部は、前記リムーバブルメディアドライブに装着されているリムーバブルメディアが情報の記録に対応しているかどうかを判定し、情報の記録に対応していない場合、前記録画用回路への電力供給を停止することを特徴とする請求項１記載のリムーバブルメディア録画機器。
【請求項５】
前記リムーバブルメディアドライブにリムーバブルメディアが装着されている場合、前記制御部は、前記リムーバブルメディアドライブに装着されているリムーバブルメディアへの情報の記録が禁止されているかどうかを判定し、情報の記録が禁止されている場合、前記録画用回路への電力供給を停止することを特徴とする請求項１又は２記載のリムーバブルメディア録画機器。
【請求項６】
前記リムーバブルメディアドライブ及び前記リムーバブルメディア制御部を冷却する冷却ファンを備え、前記録画用回路への電力供給を停止する際に、前記冷却ファンも停止することを特徴とする請求項１から５までのいずれか１項に記載のリムーバブルメディア録画機器。
【請求項７】
請求項１から６までのいずれか１項に記載のリムーバブルメディア録画機器を内蔵したリムーバブルメディア録画機器内蔵テレビ放送受信装置。
【請求項８】
リムーバブルメディアを装着し、該リムーバブルメディアに情報を記録するリムーバブルメディアドライブと、前記リムーバブルメディアドライブにおける情報の記録を制御する録画用回路と、上記各部を制御する制御部とを備えるリムーバブルメディア録画機器における制御方法であって、
前記リムーバブルメディアドライブにリムーバブルメディアが装着されているかどうかを判定するステップと、
判定の結果、装着されていない場合、前記録画用回路への電力供給を停止するステップと、を有することを特徴とする制御方法。
【請求項９】
第１の制御部を備えたテレビジョン受信装置と連携可能であり、リムーバブルメディアを装着し、該リムーバブルメディアに情報を記録するリムーバブルメディアドライブと、  前記リムーバブルメディアドライブにおける情報の記録・再生を制御する回路と、上記各部を制御する第２の制御部とを備えるリムーバブルメディア録画再生機器であって、
前記リムーバブルメディアドライブにおけるリムーバブルメディアの有無情報、リムーバブルメディア録画再生機器の動作状態情報を検出して前記第１の制御部において取得し、前記情報に基づいて、前記第１の制御部が前記第２の制御部を介してリムーバブルメディア録画再生機器の動作を制御することを特徴とするリムーバブルメディア録画再生機器。
【請求項１０】
前記リムーバブルメディア録画再生機器の動作は、メディア挿入によって自動的に前記テレビジョン受信装置と前記リムーバブルメディア録画再生機器の電源をオンし、自動再生メディアの場合には入力を切り換えて再生を開始することを特徴とする請求項９に記載のリムーバブルメディア録画再生機器。
【請求項１１】
前記リムーバブルメディア録画再生機器の動作は、イジェクトボタンによって電源オフの状態からメディアを取り出す動作を行なうことを特徴とする請求項９に記載のリムーバブルメディア録画再生機器。
【請求項１２】
前記リムーバブルメディア録画再生機器の動作は、メディアの有無によって自動的にリムーバブルメディア録画再生機器の電源を制御することを特徴とする請求項９に記載のリムーバブルメディア録画再生機器。
【請求項１３】
前記リムーバブルメディア録画再生機器の電源がオンの状態において、テレビジョン受信装置の電源がオフされてから、ある設定時間だけオンを維持することを特徴とする請求項９に記載のリムーバブルメディア録画再生機器。
【請求項１４】
第１の制御部を備え、リムーバブルメディアを装着し、該リムーバブルメディアに情報を記録するリムーバブルメディアドライブと、前記リムーバブルメディアドライブにおける情報の記録・再生を制御する回路と、上記各部を制御する第２の制御部とを備えるリムーバブルメディア録画再生機器と連携可能なテレビジョン受信装置であって、
前記リムーバブルメディアドライブにおけるリムーバブルメディアの有無情報、リムーバブルメディア録画再生機器の動作状態情報を検出して前記第１の制御部において取得し、前記情報に基づいて、前記第１の制御部が前記第２の制御部を介してリムーバブルメディア録画再生機器の動作を制御することを特徴とするテレビジョン受信装置。
【請求項１５】
請求項９から１３までのいずれか１項に記載のリムーバブルメディア録画再生機器と、請求項１４に記載のテレビジョン受信装置と、が一体化された電子機器。
【請求項１６】
第１の制御部を備えたテレビジョン受信装置と連携可能であり、リムーバブルメディアを装着し、該リムーバブルメディアに情報を記録するリムーバブルメディアドライブと、  前記リムーバブルメディアドライブにおける情報の記録・再生を制御する回路と、上記各部を制御する第２の制御部とを備えるリムーバブルメディア録画再生機器における制御方法あって、
前記リムーバブルメディアドライブにおけるリムーバブルメディアの有無情報、リムーバブルメディア録画再生機器の動作状態情報を検出して前記第１の制御部において取得するステップと、
前記情報に基づいて、前記第１の制御部が前記第２の制御部を介してリムーバブルメディア録画再生機器の動作を制御するステップと、を有することを特徴とする制御方法。
【発明の詳細な説明】
【技術分野】
【０００１】
本発明は、ブルーレイディスク等のリムーバブルメディア（光学メディア等）に録画再生することができる、リムーバブルメディア録画再生機器、リムーバブルメディア録画再生機器を内蔵したテレビ放送受信装置に関する。
【背景技術】
【０００２】
近年、ブルーレイディスク（以下、「ＢＤ」と称する。）等のリムーバブルメディア（特に光メディア）にテレビ放送などのコンテンツを録画したり、ＢＤに記録されているコンテンツを再生することができるリムーバブルメディア録画再生機器や、このようなリムーバブルメディア録画再生機器を、液晶テレビジョン受信装置等のテレビジョン受信装置に内蔵したテレビ放送受信装置が普及してきている。さらに、リムーバブルメディア録画再生機器は、ハードディスクなどの大容量記憶装置も搭載しており、リムーバブルメディアとハードディスクとの間で録画された番組を移動できるようにした機器も存在する。
【０００３】
リムーバブルメディア録画再生機器では、録画用回路における消費電力が大きくなるという問題があった。また、録画、再生時における発熱量が多いため、録画、再生中は冷却ファン等の冷却機能を駆動させる必要がある。したがって、さらに消費電力が増大するという問題、冷却ファンの騒音の問題もあった。このような問題は、リムーバブルメディア録画再生機器を内蔵したテレビ放送受信装置においては特に顕著である。
【０００４】
下記特許文献１には、一定期間以上操作がなされない場合、省電力のスリープ状態に入り、スリープ状態のときにディスクの挿入またはリモコンによる操作に応じてノーマル状態に自動復帰するＤＶＤレコーダシステムが開示されている。
【０００５】
【特許文献１】特開２００６−９２６２７号公報
【発明の開示】
【発明が解決しようとする課題】
【０００６】
ところで、ＢＤ等のリムーバブルメディアに録画する録画再生機器は、起動時にディスクをマウントするのに時間を要するため、起動時間が長く、また、消費電力を低減させるために非録画時に安易に録画用回路を停止させると、希望するタイミングで録画を素早く開始させることが難しいという問題があった。
【０００７】
また、ＢＤなどの光メディアに録画・再生を行なう機器は、テレビジョン受信装置に接続して利用するのが一般的であるが、テレビジョン受信装置と録画／再生機器とを別のリモコンで操作する構成とすると、操作が煩雑化し、また電源も個別にON/OFFしなければならないという問題がある。
【０００８】
本発明の目的は、リムーバブルメディア録画再生機器の消費電力を低減することを目的とする。
【０００９】
また、テレビジョン受信装置と録画／再生機器との操作を簡単化することを目的とする。
【課題を解決するための手段】
【００１０】
本発明のリムーバブルメディア録画機器は、リムーバブルメディアを装着し、該リムーバブルメディアに情報を記録するリムーバブルメディアドライブと、前記リムーバブルメディアドライブにおける情報の記録を制御するリムーバブルメディア制御部と、前記リムーバブルメディアドライブと、各部を制御する制御部とを備え、前記制御部は、前記リムーバブルメディアドライブにリムーバブルメディアが装着されていない場合、前記リムーバブルメディアドライブに装着されているリムーバブルメディアが再生専用リムーバブルメディアなどで情報の記録に対応していない場合、前記リムーバブルメディアドライブに装着されているリムーバブルメディアがライトプロテクトされており、情報の記録が禁止されている場合等、リムーバブルメディアへの情報の記録をすぐに開始できない条件を満たす場合、前記リムーバブルメディア制御部への電力供給を停止することを特徴とする。
【００１１】
また、リムーバブルメディアを装着し、該リムーバブルメディアに情報を記録するリムーバブルメディアドライブと、前記リムーバブルメディアドライブにおける情報の記録を制御する録画用回路と、上記各部を制御する制御部とを備えるリムーバブルメディア録画機器における制御方法であって、前記リムーバブルメディアドライブにリムーバブルメディアが装着されているかどうかを判定するステップと、判定の結果、装着されていない場合、前記録画用回路への電力供給を停止するステップと、を有することを特徴とする制御方法が提供される。
【００１２】
本発明の他の観点によれば、第１の制御部を備えたテレビジョン受信装置と連携可能であり、リムーバブルメディアを装着し、該リムーバブルメディアに情報を記録するリムーバブルメディアドライブと、前記リムーバブルメディアドライブにおける情報の記録・再生を制御する回路と、上記各部を制御する第２の制御部とを備えるリムーバブルメディア録画再生機器であって、前記リムーバブルメディアドライブにおけるリムーバブルメディアの有無情報、リムーバブルメディア録画再生機器の動作状態情報を検出して前記第１の制御部において取得し、前記情報に基づいて、前記第１の制御部が前記第２の制御部を介してリムーバブルメディア録画再生機器の動作を制御することを特徴とするリムーバブルメディア録画再生機器が提供される。
【００１３】
テレビ側の制御により、必要な時だけリムーバブルメディア録画再生機器の電源を投入し、テレビと同一のリモコン、あるいは、テレビ本体の操作ボタンで操作できるようにすることができる。尚、動作状態とは、電源、再生、録画などである。
【００１４】
前記リムーバブルメディア録画再生機器の動作は、メディア挿入によって自動的に前記テレビジョン受信装置と前記リムーバブルメディア録画再生機器の電源をオンし、自動再生メディアの場合には入力を切り換えて再生を開始することを特徴とする。また、前記リムーバブルメディア録画再生機器の動作は、イジェクトボタンによって電源オフの状態からメディアを取り出す動作を行なうことを特徴とする。前記リムーバブルメディア録画再生機器の動作は、メディアの有無によって自動的にリムーバブルメディア録画再生機器の電源を制御することを特徴とする。
【００１５】
また、前記リムーバブルメディア録画再生機器の電源がオンの状態において、テレビジョン受信装置の電源がオフされてから、ある設定時間だけオンを維持することを特徴とする。録画再生機器の電源オフ状態では電源投入から起動を完了して再生・録画を開始するまでに時間を要するために、テレビの電源と連動しテレビがオンのときは常にオンとする動作が行なえるようにし、それらのうちの一つをユーザがメニューから選択できるようにすることができる。
【００１６】
また、第１の制御部を備え、リムーバブルメディアを装着し、該リムーバブルメディアに情報を記録するリムーバブルメディアドライブと、前記リムーバブルメディアドライブにおける情報の記録・再生を制御する回路と、上記各部を制御する第２の制御部とを備えるリムーバブルメディア録画再生機器と連携可能なテレビジョン受信装置であって、前記リムーバブルメディアドライブにおけるリムーバブルメディアの有無情報、リムーバブルメディア録画再生機器の動作状態情報を検出して前記第１の制御部において取得し、前記情報に基づいて、前記第１の制御部が前記第２の制御部を介してリムーバブルメディア録画再生機器の動作を制御することを特徴とするテレビジョン受信装置が提供される。
【００１７】
また、本発明は、第１の制御部を備えたテレビジョン受信装置と連携可能であり、リムーバブルメディアを装着し、該リムーバブルメディアに情報を記録するリムーバブルメディアドライブと、前記リムーバブルメディアドライブにおける情報の記録・再生を制御する回路と、上記各部を制御する第２の制御部とを備えるリムーバブルメディア録画再生機器における制御方法あって、前記リムーバブルメディアドライブにおけるリムーバブルメディアの有無情報、リムーバブルメディア録画再生機器の動作状態情報を検出して前記第１の制御部において取得するステップと、前記情報に基づいて、前記第１の制御部が前記第２の制御部を介してリムーバブルメディア録画再生機器の動作を制御するステップと、を有することを特徴とする制御方法であっても良い。
【００１８】
さらに、本発明は、上記の制御方法をコンピュータに実行させるためのプログラム、該プログラムを記録する記録媒体であっても良い。該プログラムは、インターネットなどの伝送媒体によって取得されるものであっても良い。
【発明の効果】
【００１９】
本発明によれば、リムーバブルメディア録画再生機器の、消費電力を低減することができる。また、当該機器の操作を簡単化することができる。
【発明を実施するための最良の形態】
【００２０】
以下、図面を参照して本発明のリムーバブルメディア録画再生機器の各実施の形態を説明する。
（第１の実施の形態）
本実施の形態によるリムーバブルメディア録画機器は、テレビ放送を受信し、テレビ放送信号や外部から入力された他の映像信号、音声信号を、ＢＤ等のリムーバブルメディアに録画することができる。ＢＤに加え、又は、ＢＤの代わりに、ＤＶＤ−Ｒ、ＤＶＤ−ＲＷ、ＤＶＤ−ＲＡＭ等の他のリムーバブルメディアにもコンテンツを録画等することができるようにしてもよい。
【００２１】
また、本実施の形態によるリムーバブルメディア録画機器は、さらに、ハードディスクドライブを内蔵し、テレビ放送信号や外部から入力された他の映像信号、音声信号をハードディスクドライブに録画したり、ハードディスクとリムーバブルメディアとの間で録画した番組を移動したりできるようにしてもよい。
【００２２】
図１は、本実施の形態によるテレビジョン受信装置の一構成例を示す機能ブロック図であり、図２は、ＢＤレコーダ（記録再生機器）の一構成例を示す機能ブロック図であり、図３は、ＢＤレコーダの主要部の詳細な構成例を示す図である。
図１に示すように、デジタル放送受信装置（テレビ受信部）Ａは、アンテナ１と、デジタル放送のチューナを含むデジタル放送受信部３と、インタフェイス部５と、インタフェイス信号処理部７と、デコーダ１１と、図示しないリモコン装置からの指示を受けるリモコン受光部１５と、音声信号の処理を行う音声信号処理部２５と、処理後の音声信号に基づく音声を出力するスピーカ２１と、映像信号の処理を行う映像信号処理部２７と、処理後の映像信号に基づく映像を出力するディスプレイ２３と、これらの各機能ブロックについてバスラインを通して制御する制御部（ＣＰＵ）１７（テレビ側の制御部）と、下記の処理を行うためのプログラムその他の情報を記憶する記憶部１８と、を有している。以下の処理は、記憶部１８に記録されているプログラムに基づいて実行される。
【００２３】
図２に示すように、ＢＤレコーダＢは、アンテナ４１と、デジタルチューナ４３と、インタフェイス信号処理部４５と、制御部４７（レコーダ側の制御部）と、リモコン受光部５１と、記憶部（ＨＤＤ）５３と、インタフェイス部５５と、電子番組表取得部５７と、光ディスク（ＢＤ）駆動部６３と、操作部６７と、を有している。さらに、リムーバブルメディア制御部７２、冷却ファン７４、ＢＤのイジェクトボタン７３ａが設けられている。テレビＡ側のインタフェイス部５とレコーダＢ側のインタフェイス部５５とは、例えば、ＡＴＡＰＩインタフェイスであり、テレビＡと、テレビＡに内蔵されるＢＤレコーダＢと、をＡＴＡＰＩ接続してレコーダ内蔵型テレビを構成しており、１つのリモコン装置で操作することができる。個別のテレビＡとＢＤレコーダＢとを、ＨＤＭＩインタフェイスなどにより接続し、テレビ側の１つのリモコン装置で操作できるシステム構成としても良い。以下において、内蔵型を例にして説明し、ＢＤレコーダをＢＤユニットと称するが、レコーダ内蔵型テレビに本発明を限定する趣旨ではない。
【００２４】
図３に示すように、ＢＤレコーダＢのリムーバブルメディア（光ディスク）駆動部６３は、図２にも示した制御部４７と、光ディスク駆動部６３の駆動関係を制御するリムーバブルメディア制御部７２と、リムーバブルメディアドライブ（本体）６３（メディアを出し入れする公知のイジェクトボタン７３ａを備える。）と、冷却ファン７４と、を備えている。
【００２５】
制御部４７は、ＢＤレコーダＢの各部を制御し、これら各部への電力供給を行う。ＢＤレコーダＢの電源オンに応じて、制御部４７は、制御信号ＰＳ＿ＯＮによってＢＤレコーダＢの各機能部へ電力を供給する。制御部４７は、制御信号ＢＤ＿Ｐ−ＣＯＮによってリムーバブルメディア制御部７２への電力供給を制御し、制御信号ＦＡＮ＿ＣＮＴによってリムーバブルメディア制御部７２を介して冷却ファン７４への電力供給を制御し、制御信号ＤＲＩＶＥ＿Ｐ−ＣＯＮによってリムーバブルメディア制御部７２を介してリムーバブルメディアドライブ７３への電力供給を制御する。制御部４７は、制御信号ＣＯＬＤ＿ＲＳＴ＃によって、起動時にリムーバブルメディア制御部７２をリセットする。
【００２６】
リムーバブルメディア制御部７２は、制御部４７からの指示に応じてリムーバブルメディアドライブ７３を制御し、リムーバブルメディアドライブ７３や冷却ファン７４への電力供給を行う。また、リムーバブルメディア制御部７２は、リムーバブルメディアドライブ７３に装着されたＢＤ等の書き込み可能メディアへの情報の書き込みを行う録画・再生用の回路（ここでは、録画用回路と称する）を含む。
【００２７】
リムーバブルメディアドライブ７３は、ＢＤ、ＤＶＤ等のリムーバブルメディアが装着され、リムーバブルメディアの回転、リムーバブルメディアへの情報の書き込み、リムーバブルメディアからの情報の読み出し等を行う。リムーバブルメディアドライブ７３にリムーバブルメディアが装着されている場合、リムーバブルメディアドライブ７３に備えられている物理スイッチがオンになり、メディア検出信号が主制御部４７に送信される。
【００２８】
本実施の形態によるＢＤレコーダＢにおいては、リムーバブルメディアへの録画をすぐに開始できない条件を満たす場合、リムーバブルメディア制御部７２における録画用の回路への電力供給を停止し、スリープ状態にする。録画をすぐに開始できない条件とは、例えば、リムーバブルメディアが装着されていない、再生専用のリムーバブルメディアが装着されている、書込み禁止にした録画用リムーバブルメディアが装着されている、等の条件である。
【００２９】
上記のような、リムーバブルメディアへの録画をすぐに開始できない条件を満たす場合、録画可能にするためには、必然的に、録画可能なリムーバブルメディアを装着して、当該リムーバブルメディアをマウントする処理が必要となる。このマウントに要する時間と比較すると、スリープ状態からの復帰（起動）に要する時間は短く、相対的に無視できるため、録画用の回路への電力供給を停止し、スリープ状態に移行させ、消費電力の低減と、騒音の低減とを実現することができる。
【００３０】
録画用のリムーバブルメディアが挿入されていて、空き容量があり、録画可能な状態にある場合、スリープ状態にすると復帰時にリムーバブルメディアのマウント処理が必要なため、スリープ状態からの復帰に時間を要する。したがって、このような状態にある場合には、録画用の回路への電力供給を停止せず、スリープ状態にならないように制御し、いつでも録画を開始できるよう状態を維持する。以下においても、録画用の回路への電源供給の開始・停止の動作に合わせて冷却ファン７４を動作させるようにしても良い。
【００３１】
図４は、本実施の形態によるリムーバブルメディア録画機器の起動時の動作の流れの一例を示すフローチャート図である。
【００３２】
ステップＳ１０１において、リムーバブルメディアドライブ７３にリムーバブルメディアが装着されているか否かを判定する。リムーバブルメディアドライブ７３にリムーバブルメディアが装着されている場合（Ｙｅｓ）、リムーバブルメディアドライブ７３の物理スイッチがオンになり、メディア検出信号が制御部４７に送信される。
【００３３】
リムーバブルメディアドライブ７３にリムーバブルメディアが装着されていない場合（Ｎｏ）、リムーバブルメディアへの録画をすぐに開始できない条件を満たしているため、ステップＳ１０４において、制御部４７は、リムーバブルメディア制御部７２における録画用の回路への電力供給を停止し、録画用の回路に電源が供給されないスリープ状態に遷移し動作を終了する。この際、冷却ファン７４への電力供給を合わせて停止するように制御しても良い。
【００３４】
ステップＳ１０１において、リムーバブルメディアドライブ７３にリムーバブルメディアが装着されていると判定された場合（Ｙｅｓ）、ステップＳ１０２において、リムーバブルメディアドライブ７３に装着されているリムーバブルメディアが録画可能なメディアであるかどうかを判定する。例えば、リムーバブルメディアがリムーバブルメディアドライブ７３に対応するものであり、且つ、ＢＤ−Ｒ、ＢＤ−ＲＥ、ＤＶＤ−Ｒ、ＤＶＤ−ＲＷなどの録画可能なリムーバブルメディアであり、且つ、ライトプロテクトされておらず、且つ、録画するための空き容量がある場合には、録画可能であると判定する。要するに録画可能であるかどうかにより判定すれば良い。
【００３５】
リムーバブルメディアがリムーバブルメディアドライブ７３に対応していないものであったり、ＢＤ−ＲＯＭ、ＤＶＤ−ＲＯＭ、ＣＤなどの再生専用のリムーバブルメディアであったり、録画可能なリムーバブルメディアであってもライトプロテクトされていたり、録画するための空き容量がない場合、録画可能なものではないと判定される。
【００３６】
リムーバブルメディアドライブ７３に装着されているリムーバブルメディアが録画可能なものである場合には、ステップＳ１０３において、制御部４７は、リムーバブルメディア制御部７２における録画用の回路への電力供給を維持し、いつでも録画ができる状態を維持する。
【００３７】
リムーバブルメディアドライブ７３に装着されているリムーバブルメディアが録画可能なものではない場合は、リムーバブルメディアへの録画をすぐに開始できない条件を満たしているため、ステップＳ１０４において、主制御部４７は、リムーバブルメディア制御部７２における録画用の回路への電力供給を停止し、スリープ状態に遷移し、動作を終了する。
【００３８】
次に、リムーバブルメディアの交換時、スリープ状態におけるリムーバブルメディアの装着時における動作について説明する。図５は、本実施の形態によるリムーバブルメディア録画機器のリムーバブルメディア装着時の処理の流れを示すフローチャート図である。
【００３９】
ステップＳ２０１において、リムーバブルメディアドライブ７３にリムーバブルメディアが装着され、リムーバブルメディアドライブ７３の物理スイッチがオンになり、メディア検出信号が制御部４７に送信される。
【００４０】
ステップＳ２０２において、制御部４７は、リムーバブルメディア制御部回路７２における録画用の回路への電力供給を開始する。
【００４１】
ステップＳ２０３において、リムーバブルメディアドライブ７３に装着されているリムーバブルメディアが録画可能なものであるかどうかを判定する。例えば、リムーバブルメディアがリムーバブルメディアドライブ７３に対応するものであり、且つ、ＢＤ−Ｒ、ＢＤ−ＲＥ、ＤＶＤ−Ｒ、ＤＶＤ−ＲＷなどの録画可能なリムーバブルメディアであり、且つ、ライトプロテクトされておらず、且つ、録画するための空き容量がある場合、録画可能であると判定する。リムーバブルメディアがリムーバブルメディアドライブ６３に対応していないものであったり、ＢＤ−ＲＯＭ、ＤＶＤ−ＲＯＭ、ＣＤなどの再生専用のリムーバブルメディアであったり、録画可能なリムーバブルメディアであってもライトプロテクトされていたり、録画するための空き容量がない場合、録画可能なものではないと判定される。
【００４２】
リムーバブルメディアドライブ７３に装着されているリムーバブルメディアが録画可能なものである場合（Ｙｅｓ）、ステップＳ２０４において、主制御部４７は、リムーバブルメディア制御部回路７２における録画用の回路への電力供給を維持し、いつでも録画できる状態を維持する。併せて、冷却ファン７４も動作させても良い。
【００４３】
リムーバブルメディアドライブ７３に装着されているリムーバブルメディアが録画可能なものではない場合、リムーバブルメディアへの録画をすぐに開始できない条件を満たしているので、ステップＳ２０５において、制御部４７は、リムーバブルメディア制御部７２における録画用の回路への電力供給を停止し、スリープ状態に遷移し、動作を終了する。この際、冷却ファン７４への電力供給も停止しても良い。
【００４４】
以上に説明したように、本実施の形態によるリムーバブルメディア録画機器においては、リムーバブルメディアへの情報の記録をすぐに開始できない条件を満たす場合、録画用回路への電力供給を停止することにより、消費電力を低減することができる。さらに、冷却ファンへの電力供給を停止すれば、ファンの騒音も低減することができる。
【００４５】
本実施の形態によるリムーバブルメディア録画機器は、特に、リムーバブルメディアとしてＢＤを用いる場合に好適である。ＢＤ用のリムーバブルメディア制御部のＢＤ用録画回路は消費電力が大きく、スリープからの起動に時間がかかり、ＢＤドライブの消費電力も大きく、ＢＤはマウント時間も長い。ＢＤ用録画回路の最大負荷は、例えば１．８４Ａ／２７．９０Ｗ（１５Ｖ入力時）であり、ＢＤドライブの最大負荷は２．４９Ａ／３７．３３Ｗであり、合計の最大電力は４．３５Ａ／６５．２３Ｗ（１５Ｖ入力時）である。また、ＢＤ用録画回路の起動時間は約１０秒であり、ＢＤマウント時間は、最長３分３０秒（２層、２００タイトル録画時）、最短５０秒であり、合計、最長約３分４０秒、最短約１分である。
上述したようなリムーバブルメディア録画機器を液晶テレビ等に内蔵したリムーバブルメディア録画機器内蔵テレビ放送受信装置としても実施可能である。リムーバブルメディア録画機器内蔵テレビ放送受信装置では、リムーバブルメディア録画機器を内蔵しないテレビ放送受信装置に比べて、消費電力、発熱量が極端に増大するため、より大きい効果が得られる。
【００４６】
例えば、５２型の液晶テレビにＢＤ録画機器を内蔵した場合、ＢＤドライブ及びＢＤ用録画回路の電源をオンにした場合の消費電力は約３６０Ｗであるが、ＢＤドライブ及びＢＤ用録画回路の電源をオフにした場合の消費電力は約３００Ｗにまで低減することができる。尚、上記の処理において、後述する第２の実施の形態と同様に、テレビ側の制御部１７が主体となってＢＤ側を制御するようにしても良い。
【００４７】
次に、本発明の第２の実施の形態について図面を参照しながら説明を行う。本実施の形態によるリムーバブルメディア録画再生機器は、基本的に、図１から３までに示した構成と同様の構成を有している。そこで、以下においては、図６から図９までを参照して、本実施の形態における特徴部である各処理の流れについて説明する。尚、以下の処理においては、テレビＡ側の制御部１７が主体となって、インタフェイスを介してＢＤユニット側の各機能部を制御する例について説明する。
【００４８】
１−１）スロットイン再生（図６参照）
テレビ視聴中（ステップＳ３０１）に、ステップＳ３０２においてＢＤ等のリムーバブルメディアが挿入された旨を検出した場合に（Ｙｅｓ）、この検出した信号を、インタフェイス部５５・５を介してテレビ側の制御部１７に伝える。テレビ側の制御部１７は、ステップＳ３０３においてＢＤユニットの電源を投入させるための制御信号によりＢＤユニットの電源を投入させ、現在視聴中の入力(例えば地上デジタル放送など)からＢＤ再生用の入力に切り換え（ステップＳ３０４）、自動的にＢＤ内のコンテンツの再生を行なわせる (ステップＳ３０５；スロットイン再生)。
【００４９】
このように、テレビ放送を視聴中において、テレビ側でＢＤの挿入を検出すると、テレビ側の制御部が、それまではＯＦＦであったＢＤユニットに電力を供給させるための指示を行う。そして、上記の入力を切り替える処理が行われている間にＢＤの再生に必要な初期処理を行ってしまうことにより、ＢＤ内のコンテンツ再生処理を速やかに行わせることができる。ＢＤの挿入を契機として、テレビ側の制御により、ＢＤユニットへの電源供給を開始し、次いで、入力切替を行った後にＢＤの自動再生を行わせることにより、ＢＤの再生処理がスムーズに進めることができる。
【００５０】
１−２）スロットイン起動（図７）
機器を操作するリモコン装置によってテレビがオフされている状態（テレビ自体には省エネ電力供給は行われている）場合においても、上記１）の機能は有効である。すなわち、テレビおよび必要であればＢＤユニットの電源を投入し、ＢＤユニットの起動とメディア読み込みとを待ってから再生用の入力に切り換え、再生を行なうようにする。
【００５１】
より詳細には、まず、上記と同様にテレビ側の制御部が、ＢＤメディア挿入を検知し（ステップＳ４０１でＹｅｓ）、テレビと、必要に応じてＢＤユニットの電源をオンにする（ステップＳ４０２）。テレビは、起動直後はラスト視聴のチャネルの映像ソースを表示している。ＢＤユニットがメディアのローディング処理を開始すると（起動：ステップＳ４０３）、その旨をテレビの表示部に表示させ、自動再生機能が有効なＢＤが挿入されている場合には、ＢＤコンテンツの読み込みを完了した後に（ステップＳ４０４でＹｅｓ）、ＢＤレコーダの再生用の入力に切り換え（ステップＳ４０５）、ＢＤ内のコンテンツの再生を行なう（ステップＳ４０６）。尚、ＢＤの自動再生機能が有効でない場合には、再生用のリスト(再生リスト)を表示部に表示させることで、ユーザに再生させるコンテンツを選択させるようにすることも可能である。
【００５２】
２）イジェクトボタンが押された時の動作(イジェクト起動：図８)
この操作は、テレビがオフ状態であっても、テレビを見た目ではオンせずに（すなわち表示部に映像を表示させずに）、ＢＤメディアを取り出したい場合に実行する処理であって、図８に示すように処理を行う。適宜、その他の図面も参照しながら処理内容の説明を行う。
【００５３】
まず、制御部４７がＢＤディスク駆動部６３のイジェクトボタン７３ａが押されたことを検知すると、（ステップＳ５０１でＹｅｓ）、インタフェイス部５５・５を介してその検出信号を受けてテレビＡをオンにし、さらに、イジェクト起動処理であることがテレビＡに対して通知される（ステップＳ５０２）。これにより、テレビＡは、次のステップでＢＤレコーダＢをコントロールするために起動するが、テレビ画面（ディスプレイ）２３は映像を表示しない状態であり、以下の動作を行なう。まず、テレビ側の制御部１７が、ステップＳ５０３において、ＢＤユニットにおける電源を投入（オン）させる。ステップＳ５０４においてＢＤユニットの起動を待ち（Ｙｅｓ）、ステップＳ５０５においてドライブのＢＤのイジェクトを指示する。
【００５４】
次に、ステップＳ５０６において、ＢＤのイジェクト動作の完了報告を待って（Ｙｅｓ）、ＢＤユニットにおける動作の終了処理を行うように制御する（ステップＳ５０７）。次いで、ＢＤユニット終了処理の完了報告を待って（ステップＳ５０８でＹｅｓ）、ＢＤユニットの電源をオフにする。上記のすべて処理が完了した旨の報告を受けた後に、ステップＳ５１０においてテレビの電源をオフし、処理が終了する。
【００５５】
以上のように、ＢＤのイジェクトボタンが押されたことを検出して、テレビの電源の一部、すなわち制御部１７を含むＢＤレコーダとの制御信号のやり取りに必要な機能部（例えばディスプレイは表示させないで良い。）を動作させ、制御部１７からの制御信号に基づいて、ＢＤユニットを動作させて、ＢＤのイジェクトに関する処理を自動的に行わせ、次いで、ＢＤユニット、テレビの電源をオフする一連の処理を行うことができる。従って、この一連の処理を簡単な操作で行うことができる上に、ディスプレイを表示させないことで電力消費を少なくすることができる。
【００５６】
３）メディア非挿入状態がある設定された時間（例えば数分）だけ継続した場合に、ＢＤユニットをオフする操作
この操作は、省電力のための動作を行わせるものであって、以下のように機能させる。前提としては、ＢＤユニットの電源がオン時において行われるものである。
【００５７】
図９に示すように、まず、処理が開始され、ステップＳ６０１に示すようにテレビ側の制御部１７においてＢＤユニットのメディア挿入状態の変化(挿入→非挿入)を検知した場合に（Ｙｅｓ）、ステップＳ６０２においてタイマーをオン（起動）させ、ステップＳ６０３において、ある時間(例えば予め設定された数分などの時間)が経過すると、ステップＳ６０４でＢＤメディアの非挿入を再度チェックし、ＢＤメディアの非挿入状態が継続していれば（Ｙｅｓ）、ステップＳ６０５においてＢＤユニットの電源をオフする。ステップＳ６０４において、ＢＤの挿入が検出信号を受けると、ＢＤでの処理を継続させる。但し、以下に説明するクイック待機設定が有効でＢＤユニットを常時オンする設定である場合には、ＢＤユニットの電源はオフしないように制御する。
【００５８】
４）クイック待機設定
ＢＤユニットの電源は、テレビ側の制御部１７において、ＢＤユニットにおけるメディア挿入を検知することによってオンすることを基本としている。しかしながら、ＢＤユニットがオフ状態から起動させると、再生／録画が可能な状態となるまでにある時間を要することになる。そこで、消費電力が多少大きくなっても良い場合のために、クイック待機設定が行えるようになっている。このクイック待機設定においては、メディアが挿入されていない場合でも、ＢＤユニットをオンしておくことによって、操作性の向上を図りたい利用者に対応した設定であって、以下のように機能する。
【００５９】
テレビのメニューに「クイック待機設定」の項目を設けておき、以下の設定をすることが可能である。
【００６０】
４−１）テレビがオンで、メディア挿入の場合のみＢＤユニットをオンする。
４−２）テレビのオン／オフにかかわらず、常にＢＤユニットをオンする。
４−３）テレビのオン／オフにかかわらず、常にＢＤユニットをオンする。但し、テレビがオフした後の一定時間(例:数時間)経過後には、ＢＤユニットをオフにすることが好ましい。
４−４）テレビがオンの場合には、常にＢＤユニットをオンにする(テレビがオフした場合にはオフする。)
【００６１】
このような種々の動作のうちのいずれかを選択して設定することにより、ユーザの好みに応じて任意に選択することができる。
【００６２】
以上のように、本実施の形態では、テレビとレコーダとを接続して別々にコントロールする場合と比較して、電源のオン・オフ操作などが簡単になり、ユーザの利便性が向上するという利点がある。
【００６３】
また、具体的な構成は、上述の実施の形態に限られるものではなく、この発明の要旨を逸脱しない範囲の設計変更がされた場合などにおいても特許請求の範囲に含まれるのは言うまでもない。
【００６４】
また、上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【００６５】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【００６６】
また、「コンピュータシステム」は、ＷＷＷシステムを利用している場合であれば、ホームページ提供環境（あるいは表示環境）も含むものとする。
【００６７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。プログラムは、インターネットなどの伝送媒体を介して取得するものであっても良い。
【産業上の利用可能性】
【００６８】
本発明は、リムーバブルメディア録画機器及びリムーバブルメディア録画機器内蔵テレビ放送受信装置に利用可能である。
【図面の簡単な説明】
【００６９】
【図１】本発明の実施の形態によるテレビジョン受信装置の一構成例を示す機能ブロック図である。
【図２】本実施の形態によるＢＤレコーダ装置の一構成例を示す機能ブロック図である。
【図３】図２に示す録画機器装置の主要部の一構成例を示すブロック図である。
【図４】本発明の第１の実施の形態によるリムーバブルメディア録画機器の起動時の動作の流れを示すフローチャート図である。
【図５】本実施の形態によるリムーバブルメディア録画機器のリムーバブルメディア装着時の処理の流れを示すフローチャート図である。
【図６】本発明の第２の実施の形態によるリムーバブルメディア録画機器のスロットイン再生、スロットイン起動処理の流れを示すフローチャート図である。
【図７】本発明の第２の実施の形態におけるスロットイン起動処理の流れを示すフローチャート図である。
【図８】本発明の第２の実施の形態におけるイジェクト起動処理の流れを示すフローチャート図である。
【図９】本発明の第２の実施の形態におけるメディア非挿入状態が ある設定された時間（例えば数分）だけ継続した場合に 、ＢＤユニットを オフする処理の流れを示すフローチャート図である。
【符号の説明】
【００７０】
Ａ…デジタル放送受信装置（テレビ受信部）、１…アンテナ、３…デジタル放送受信部、５…インタフェイス部、７…インタフェイス信号処理部、１１…デコーダ、１５…リモコン受光部、２５…音声信号処理部、２１…スピーカ、２７…映像信号処理部、２３…ディスプレイ、１７…制御部（ＣＰＵ）、１８…記憶部、Ｂ…ＢＤレコーダ、４１…アンテナ、４３…デジタルチューナ、４５…インタフェイス信号処理部、４７…制御部、５１…リモコン受光部、５３…記憶部（ＨＤＤ）、５５…インタフェイス部、５７…電子番組表取得部、６３…光ディスク（ＢＤ）駆動部、６７…操作部、７２…リムーバブルメディア制御部、７４…冷却ファン、７３ａ…ＢＤのイジェクトボタン、
【図１】
2010118116.tif 000003
【図２】
2010118116.tif 000004
【図３】
2010118116.tif 000005
【図４】
2010118116.tif 000006
【図５】
2010118116.tif 000007
【図６】
2010118116.tif 000008
【図７】
2010118116.tif 000009
【図８】
2010118116.tif 000010
【図９】
2010118116.tif 000011